(57)【要約】【課題】  フレキシブル性を備えつつ、消費電力の増大を低減し、且つ、暗所における視認性を向上させた電子ペーパ等の表示装置を提供することを目的とする。【解決手段】  基板、第１の電極、セル、第２の電極、保護部材の順に構成され、前記セルが前記第１の電極、前記第２の電極の間に挟まれており、前記セルが、畜光性を有する帯電粒体を、その表面又は内部に含み、前記第１の電極、前記第２の電極の間の電界により、前記帯電粒体を移動させることを特徴とする。【選択図】    図１
2007271838.tif 000002
【特許請求の範囲】
【請求項１】
第１の電極と第２の電極との間にセルを備え、
前記セルの外部又は内部に、畜光性を有する帯電粒体を設け、
前記第１の電極、前記第２の電極の間の電界により、前記帯電粒体を移動させる
ことを特徴とする表示装置。
【請求項２】
前記帯電粒体は、その外部又は内部に畜光性を有する部位を含むことを特徴とする請求項１に記載の表示装置。
【請求項３】
前記帯電粒体は、アルカリ土類金属のアルミン酸塩を含むことを特徴とする請求項１又は２に記載の表示装置。
【請求項４】
前記帯電粒体を、所定の時間間隔で前記セルの受光側に移動させる事で、前記帯電粒体に光を取り込むことを特徴とする請求項１ないし３に記載の表示装置。
【請求項５】
前記帯電粒体を、所定の外部刺激により前記セルの受光側に移動させる事で、前記帯電粒体に光を取り込むことを特徴とする請求項１ないし４に記載の表示装置。
【請求項６】
所定の外部刺激は、前記セルの受光側に設けられた光センサにおける所定強度以上の光検出であることを特徴とする請求項５に記載の表示装置。
【発明の詳細な説明】
【技術分野】
【０００１】
本発明は、表示装置に関するものであり、特に、表示装置を暗所にて利用する際に好適なものである。
【背景技術】
【０００２】
近年、各種の薄型表示装置が開発されてきている。暗所における視認性を確保する薄型表示装置として、例えば、所定の画像を表示可能な表示画面を有する表示媒体と、その表示媒体の表示画面を硬質の透明導光板で覆うサイドライト型照明装置とを備え、そのサイドライト型照明装置によって透明導光板の一端に光を入射させ、その入射させた光で表示画面を照らす反射型の表示装置が実用化されている（例えば、特許文献１参照。）。また、照明装置を不要とできる自発光型の薄型表示装置としては、たとえば、有機ＥＬを用いた表示装置が実用化を迎えつつある。
【０００３】
一方で、薄型表示装置として、いわゆる電子ペーパと呼ばれる表示装置が注目されている。一般的に、電子ペーパは、例えば柔軟性有する基板上に電極と光反射率変調体を含むセル、および保護フィルムを積層させたもので、フレキシブル性（柔軟性）を有した光反射方式の表示装置である。
【特許文献１】特開２００３-２７１９１１号公報
【発明の開示】
【発明が解決しようとする課題】
【０００４】
しかし、従来の電子ペーパでは、暗所における視認性が十分でないため、透明導光板などを用いる従来技術によって電子ペーパの視認性を向上させようとする場合には以下のようなあらたな問題点が想定される。
【０００５】
すなわち、暗所における視認性を向上させる方法として、発光ダイオード等を用いたフロントライト方式、サイドライト方式を用いた場合は、表示面に対して均質な照明を実現するためには、硬質の導光板等を要するため、電子ペーパのフレキシブル性を損なうという問題が生じる。なお、硬質でない導光板・サイドライト等を使用する電子ペーパを構成する場合には、導光板が柔軟に変形すると表示面に対して均質な照明ができないため、暗所における視認性向上には限界があった。
【０００６】
また、電子ペーパに自発光型の表示装置を用いた場合は、表示装置に常に電力を供給する必要があり、消費電力が増大し、電子ペーパに容量の大きい電源を用いねばならない問題がある。
【０００７】
そこで、本発明は、上述の問題点に鑑み、暗所における視認性を向上させた電子ペーパ等の表示装置を提供することを目的とする。
【課題を解決するための手段】
【０００８】
本発明に係る表示装置は、第１の電極と第２の電極との間にセルを備え、前記セルの外部又は内部に、畜光性を有する帯電粒体を設け、前記第１の電極、前記第２の電極の間の電界により、前記帯電粒体を移動させることを特徴とする。
【０００９】
なお、前記帯電粒体は、その外部又は内部に畜光性を有する部位を含んでいてもよい。また、前記帯電粒体は、アルカリ土類金属のアルミン酸塩を含んでいてもよい。
【００１０】
さらに、前記帯電粒体を、所定の時間間隔で前記セルの受光側に移動させる事で、前記帯電粒体に光を取り込んでもよい。また、前記帯電粒体を、所定の外部刺激により前記セルの受光側に移動させる事で、前記帯電粒体に光を取り込んでもよい。
【００１１】
所定の外部刺激は、前記セルの受光側に設けられた光センサにおける所定強度以上の光検出であってよい。
【発明の効果】
【００１２】
前記セルが、畜光性を有する帯電粒体を、その外部または内部に含むことにより、暗所における視認性を向上させた電子ペーパ等の表示装置を提供できる。帯電粒体は、前記第１の電極、前記第２の電極の間の電界に従って、所謂、電気泳動等により移動を行う。
【００１３】
前記帯電粒体は、その外部または内部に畜光性を有する部位を含んでいることにより、また、帯電粒体が、畜光性を有するアルカリ土類金属のアルミン酸塩であることにより、暗所における視認性を向上させた電子ペーパ等の表示装置を提供できる。
【００１４】
前記帯電粒体を所定の時間間隔で前記セルの受光側に移動させる事で、前記帯電粒体に光を取り込むことができ、暗所において視認できる時間を延長することができる。
【００１５】
なお、光センサ等のセンサ出力や、無線通信、赤外線通信、可視光通信等の外部刺激により、前記帯電粒体を前記セルの受光側に移動させることで、より効率よく前記帯電粒体に光を取り込むことができ、暗所において視認できる時間を延長することができる。
【００１６】
本発明の意義ないし効果は、以下に示す実施の形態の説明により更に明らかとなろう。
【００１７】
ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００１８】
以下、本発明の実施の形態につき図面を参照して説明する。
【００１９】
図１は、実施の形態に係る表示装置１００（電子ペーパ）を示す図であり、同図（Ａ）は電子ペーパの正面図であり、同図（Ｂ）は表示装置１００（以下、電子ペーパ）の一部を拡大した概略断面図である。
【００２０】
同図（Ｂ）を参照して、基板１上に、第１の電極２、誘電体３、複数のセル（以下、カプセル）４、誘電体８、第２の電極９、保護部材１０が順に設けられている。各カプセル４内には、流体５と、帯電粒子である帯電粒体６とが封入されている。
【００２１】
更に、帯電粒体６の表面の少なくとも一部には、帯電粒体の畜光性を有する部位である畜光部７が形成されている。畜光部７を有する帯電粒体がカプセル中を電子ペーパ表面側へ移動することで、電子ペーパ表面に文字や画像を表示させることができる。
【００２２】
表示装置として使用されることから、基板１と保護部材１０の少なくとも一方は、光透過性を有することが望ましい。便宜上、保護部材１０が光透過性を有しているとし、また保護部材１０側を、例えば公衆が電子ペーパを見る側となる表面側とする。基板１には、可とう性を有するフィルムやステンレススチール等の金属箔、又は光透過性を有するポリメチルメタクリレート、ポリシロキサニルメタクリレート等の樹脂が用いられる。保護部材１０は、酸素や水分の透過性が低い物質からなり、例えば、ポリイミドや、光透過性を有するパリレン等が用いられる。
【００２３】
第１の電極２、第２の電極９は導電性物質からなり、少なくとも一方は、光透過性を有することが望ましい。光透過性の電極は、インジウム−錫酸化物（ＩＴＯ）、インジウム−亜鉛酸化物、金属の超薄膜、導電性高分子等からなる。
【００２４】
カプセル４の殻は、尿素樹脂、メタクリレート樹脂、ゴム等からなり、光透過性を有している。流体５としては、光透過性を有する含ケイ素ポリマーなどの液体、窒素やアルゴン、クリプトン、ネオン、キセノンなどの化学的な反応性が低い気体等を用いることができる。
【００２５】
帯電粒体６としては、光反射率が高い帯電粒子である酸化アルミニウム、アルミン酸塩、酸化チタン、酸化ストロンチウム、酸化カルシウム、酸化マグネシウム、酸化ベリリウム等や、光反射率が低い帯電粒子カーボンブラック、フラーレン類、カーボンナノチューブ等が用いられる。なお、これら光反射率の高い帯電粒子、光反射率の低い帯電粒子は各々単独で用いる事ができ、光反射率の高い帯電粒子と光反射率の低い帯電粒子とを組み合わせて用いる事もできる。この場合、光反射率の高い帯電粒子と光反射率の低い帯電粒子とは、正負が逆の極性に帯電するか、帯電しやすさに1.5倍以上の差があることが好ましい。
【００２６】
本実施形態では、光反射率の高い帯電粒子を単独で用いる例で説明する。
【００２７】
畜光部７としては、アルカリ土類金属のアルミン酸塩等、各種の畜光性物質や、畜光体または燐光体が利用できる。例えば、ユウロピウム、ジスプロシウムの少なくとも一方を添加したアルミン酸ストロンチウム（ＳｒＡｌ２Ｏ４：Ｅｕ，Ｄｙ）からなる蓄光性蛍光体に、酸化エルビウム（Ｅｒ２Ｏ３）をユウロピウム、ジスプロシウムの少なくとも一方を添加したアルミン酸ストロンチウム（ＳｒＡｌ２Ｏ４：Ｅｕ，Ｄｙ）に対して０．０１〜３３重量％添加したことを特徴とする白色蓄光性蛍光体などを用いることができる。
【００２８】
他に、畜光体としては、白色蓄光性蛍光体（特開平９−１３０２８号公報など）、カラー蓄光顔料（特開平３−１６６２６９号公報など）、アルミン酸塩蓄光性蛍光体（特開平７−３２４１８６号公報、特開平１０−１１４０３０号公報など）等がある。また、Ｍ1-xＡｌ2Ｏ4-xで表される化合物を母結晶とする蓄光性蛍光体（特開平８−１２７７７２号公報、特開平８−１２９３５１号公報、特開平９−１１９９８５号公報など。）や、ＭＡｌ２Ｏ４で表わされる化合物に賦活剤を添加した蓄光性蛍光体（特開平７−１１２５０号公報、特開２００１−２７１０６４号公報など。）等がある。なお、式中のＭは、カルシウム、ストロンチウム、バリウムからなる群から選ばれる少なくとも１つ以上の金属元素であり、式中のｘは、-０．３３≦ｘ≦０．６０の範囲にある。また、スピン多重度の異なる準位間の遷移に伴う燐光発光現象を発現する燐光体が利用できる。燐光体としては、ユウロピウム化合物、白金化合物、イリジウム化合物等、各種の燐光性物質を用いることができる。
【００２９】
誘電体３、誘電体８としては、カルコゲナイド、有機物、絶縁性高分子等を用いることができる。なお、誘電体は、電子ペーパを折り曲げた際などに、第１の電極２と第２の電極９がショートするのを防ぐために用いられる。よって誘電体３、誘電体８は両方備えられていてもよいし、どちらか一方だけでもよい。前記の電極間がショートすることに対して対策が講じられている場合はなくてもよい。本実施形態では、誘電体３、誘電体８は両方備えられている場合で説明する。
【００３０】
なお、誘電体を有している場合には、帯電粒体６が前述のように帯電粒子からなるので、第１の電極２と第２の電極９の間に電界を印加してその後に印加を止めた場合に、誘電体３、誘電体８間に電荷が蓄積されたままとなることから、当該電荷による電界により帯電粒体６の移動を抑止する効果を得ることができる。
【００３１】
以上により、誘電体による画像のメモリー効果を得ることができる。
【００３２】
なお、表示装置として使用されることから、誘電体３、誘電体８は光透過性を有することが望ましく、誘電体８、第２の電極９、保護体１０は共に光透過性を有することが望ましい。なお、基板１、第１の電極２、誘電体３が共に光透過性を有していてもよい。
【００３３】
本実施形態では、第１の電極２、第２の電極９間に電界を印加することで、カプセル４中で畜光部７を有する帯電粒体６を電子ペーパ表面側へ電気泳動させる（この状態を明表示と呼ぶ）。また、カプセル４と帯電粒体６との相互間にはある程度の接着性を有しているので、当該電界印加後に電界印加を停止しても、帯電粒体６は元の位置へ移動したりしない。よって、帯電粒体６がカプセル４の一方へ移動してカプセル４の一方部分（例えば、帯電粒体６により電子ペーパが明表示になる様なカプセル４の部分）に付着された後に、逆方向へ移動させる場合には、電界印加による当該逆方向への外力を及ぼさない限り、帯電粒体６はカプセル４の当該一方部分から剥離して移動したりしない。
【００３４】
以上により、画像のメモリー効果を有することができる。
【００３５】
画像のメモリー効果により、電力の供給がなくなつても電子ペーパ１００に継続して画像を表示させることができる。
【００３６】
以上の結果、電子ペーパ表面に、暗所における視認性を向上させた文字や画像を表すことができる。
【００３７】
図１（Ａ）を参照して、電子ペーパの正面は保護部材１０で覆われた部分と枠１１で覆われた部分から構成される。保護部材１０で覆われた部分に画像や文字等が表示される。枠１１で覆われた部分には、機械的強度を担保する部材や駆動回路１２や制御回路１３等が含まれている。
【００３８】
また、表示装置１００の周囲には、駆動回路１２が配され、その駆動回路１２は、制御装置１３から出力される制御信号に従って、所定の画像が表示装置１００の表面に画像や文字を表示するように第１の電極２と第２の電極９の間に電界を印加する。
【００３９】
文字や画像を表示することは、例えば、電子ペーパが、第１の電極２と第２の電極９のペアを複数有し、各ペアがマトリクス構造を有していた場合には、上記電界印加を各ペア毎に駆動することで達成できる。一対の電極には、少なくとも一つのカプセルが配置されている。なお、第２の電極９は共通で使用され、第１の電極２のみ複数有し、当該第１の電極２がマトリクス構造を有している場合であってもよい。この場合は、所定の第１の電極２に通電することで、文字や画像を表示することができる。また、第１の電極２は共通で使用され、第２の電極９のみ複数有し、当該第２の電極９がマトリクス構造を有している場合であってもよい。この場合は、所定の第２の電極９に通電することで、文字や画像を表示することができる。
【００４０】
さらに、フルカラー発光をさせることも可能となる。各ペアに、Ｒ（赤）、Ｇ（グリーン）、Ｂ（ブルー）の３色のカラーフィルタやＣ（シアン）、Ｍ（マゼンダ）、Ｙ（イエロー）の３色のカラーフィルタ等を適宜対応させる。表示させたい画像に対応させてマトリクス構造をなす電極のうちの所定の電極に通電することで、電子ペーパ全体でフルカラー発光させることが可能となる。本実施形態では、説明における複雑化を避けるため、こうしたマトリクス構造を前提とせず説明を行ったが、以下に説明を加えるように、従来の液晶表示装置などの表示装置に用いられるアクテブマトリクス駆動、あるいはパッシブマトリクス駆動のための電極構造が採用できる。
【００４１】
まず、アクテブマトリクス駆動方式について、図２を用いて説明する。
【００４２】
図２の機能ブロック図におけるアクテブマトリクス駆動方式の場合、複数の第１の電極２と第２の電極９、駆動回路１２（１２ａ、１２ｂ）、制御装置１３を有し、第２の電極９は共通で使用され、第１の電極２のみ複数有し、当該第１の電極２がマトリクス構造を有している（例えば、特開２００６-５９１３８号公報など）。
【００４３】
同図の駆動方式の場合、制御装置１３に含まれる階調制御部では、所定の画像、文字データ（ラスタスキャンデータなど）を走査ライン毎に画像左側から水平方向に例えば１画素ずつ順に読み出し、出力する。このときの画像の階調には、例えば、０〜２５５の数値で表されるデータを使用する。
【００４４】
また、制御装置１３に含まれる走査制御部では、走査方向を画像左方向に設定し、その設定された走査方向（水平方向）に前記階調制御部から順次出力されるラスタデータに応じた画像が１走査ラインずつ描画されるように、駆動回路１２ａ、駆動回路１２ｂを制御する。具体的には、駆動回路１２ａが設定された走査方向について、１画素ずつ順に諧調に応じた電圧を印加し、駆動回路１２ｂが駆動回路１２ａの電圧印加のタイミングに合わせて各ＦＥＴのゲートに電圧を供給する。以上の動作を各走査ラインに行うことで、所望の画像や文字を表示できる。なお、同図には各ＦＥＴのドレイン電圧を維持するキャパシタ分を図示していないが、本実施形態における画像のメモリー効果では、先述のように必ずしもキャパシタ分を要しないので構造を簡素化できるメリットがある。
【００４５】
なお、このアクティブ方式の場合、各ＦＥＴは通常ＴＦＴによって形成されているので、すなわち、ＴＦＴの半導体動作領域部分を含む特定の領域にのみアモルファス、あるいは多結晶のシリコン薄膜を形成できればよいため、フレキシブル基板を用いた場合の基板のフレキスブル性は確保できる。
次に、パッシブマトリクス駆動方式について、図３を用いて説明する。
【００４６】
図３の機能ブロック図におけるパッシブ駆動方式の場合、複数の第１の電極２と第２の電極９、駆動回路１１２（１１２ａ、１１２ｂ）、制御装置１１３を含み、第１の電極２、第２の電極９は対をなし、当該電極対を複数有してマトリクス構造を有している（例えば、特開２００５-２７５２６１号公報など）。
【００４７】
同図の駆動方式の場合、シリコン等で形成された半導体領域を有するＦＥＴが不要であるので、図２のようなアクテブマトリクス駆動方式の場合、に比べてより大きなフレキシブル性を確保できる。
【００４８】
以上のことから、本実施形態により、フレキシブル性を備えつつ、消費電力の増大を低減し、且つ、暗所における視認性を向上させた電子ペーパ等の表示装置を提供できる。
【００４９】
次に、本実施形態の電子ペーパにおいて、帯電粒体６の畜光部７に光を取り込む方法について説明する。帯電粒体６を所定の時間間隔でカプセル４の受光側に移動させる事で、帯電粒体６に光を取り込むことができる。以下、帯電粒体６の畜光部７に光を取り込むことを光取り込み動作と呼ぶ。
【００５０】
図４は、当該方法に使用される制御装置１３内部のブロック図である。当該方法に関係の無い機能は図示していない。１４は光センサや、無線通信、赤外線通信、可視光通信の受信部などの検出素子であり、当該センサ出力や通信結果等を外部刺激として出力する。１５は所定の時間間隔で帯電粒体６をカプセル４の受光側に移動させる際に使用するタイマである。
【００５１】
また、検出素子１４が光センサである場合は、検出した光強度が１００ルクス以上であることを外部刺激として用い、この外部刺激を検出した場合に、電子ペーパを明表示にし、帯電粒体６の畜光部７に光を取り込む事ができる。これにより、電子ペーパ周りが暗い場合には、光取り込み動作を行わないことで、光取り込みに要する電力を節約できる。
【００５２】
また、検出素子１４が無線通信、赤外線通信、可視光通信等の受信部である場合は、所望のタイミングで光取り込みを行うことができる。この場合は、タイマ１５は使用しなくてもよい。なお、本実施形態では特に記載がない限り、検出素子１４が光センサであり、タイマ１５を使用する場合で説明する。
【００５３】
所定の時間間隔は、畜光部７の輝度の半減期に依存して決定される。一方、光取り込みに要する時間は画像等の表示物を表示させる時間に対して無視できるくらいに短くはなく、当該時間間隔は表示物を表示させる時間や、表示切替の時間間隔に併せる。例えば、所定の時間間隔は、表示時間に合わせて、数十秒程度から数分程度などする事ができる。これらの値に基づき、例えばＣＰＵなどがタイマ１５をセットする。
【００５４】
ＣＰＵが、タイマ１５の出力から、所定の時間間隔に基づく表示時間が経過した事を検知した場合は（又は無線通信、赤外線通信、可視光通信による受信結果により）、諧調制御部に光取り込みを指令する。その結果、諧調制御部は、各走査ラインにおける制御において、帯電粒体６をカプセル４の受光側に移動させるように（明表示をするように）電極間に電界を印加するよう制御を行う。また、ＣＰＵが、タイマ１５の出力から、所定の時間間隔に基づく光取り込み時間が経過した事を検知した場合は（又は無線通信、赤外線通信、可視光通信による受信結果により）、諧調制御部に光取り込み停止を指令する。その結果、諧調制御部は、各走査ラインにおける制御において、画像、文字データ（ラスタスキャンデータ）を表示するように帯電粒体６を移動させる制御を行う。
【００５５】
なお、光取り込みは、表示装置１００に電源を投入した際に明表示とすることで、又はスイッチをオフにした後に明表示としてから電源を切ることで行ってもよい。また、表示装置１００にける表示を例えば、上下の２つの画面に分け、上画面を表示している時に、下画面を明表示とし、下画面を表示している時に、上画面を明表示とすることで、光取り込みを行ってもよい。さらに、表示物が静止画でありロゴ等の場合には、表示物の表示後に各カプセルに印加する電界の向きを反転させることで、交互に帯電粒体６に光取り込みができる。なお、この場合は、表示物の色が反転した状態となるが、表示装置１００全面に画像を表示させつつ、光取り込みも並行して行うことができる。
【００５６】
本実施形態の光取り込みでは、前述のように明表示にすればカプセル４と帯電粒体６との間の接着性などから、その後明表示を維持するような電界印加が不要となることから、光取り込みに要する電力を低減することができ、従来技術と比べて省電力である。
【００５７】
以上の結果、帯電粒体６に光を取り込むことができ、消費電力の増大を低減しつつ、暗所における電子ペーパを視認できる時間を延長することが出来る。
【００５８】
次に、本実施形態における暗所での視認性向上の効果を確認するための確認実験について述べる。具体的には、所定の画像を表示させ、暗所での表示の視認性を確認し、畜光性を有する帯電粒体の輝度の半減期を確認した。
【実施例１】
【００５９】
実験対象である表示装置は、ポリエチレンテレフタレート（ＰＥＴ）からなる厚さ２５μｍのフィルムからなる基板１上に、ＩＴＯからなる第１の電極２、メタクリレート樹脂からなる誘電体３、殻がメタクリレート樹脂からなるカプセル４、メタクリレート樹脂からなる誘電体８、ＩＴＯからなる第２の電極９、メタクリレート樹脂からなる保護体１０が順に形成されているものを使用した。基板１〜保護体１０の厚みは約０．１ｍｍとし、シートの大きさは幅４０ｍｍ、奥行き２０ｍｍとした試料を作製した。この場合、カプセル４の直径は５０μｍとした。
【００６０】
上記の構成により、電子ペーパーのフレキシブル性を確保することができる。
【００６１】
流体５として、液状の含ケイ素ポリマーを用いた。帯電粒体６は、ＳｒＡｌ２Ｏ４からなる光反射率の高い帯電粒子６ａを用いた。Ｅｒ２Ｏ３をＳｒＡｌ２Ｏ４：Ｅｕ，Ｄｙに対して０．９重量％添加したものを畜光部７として用い、帯電粒体６の表面に１０重量％添加して用いた。
【００６２】
第１の電極２と、第２の電極９との間に印加する電圧を変化させると、帯電粒体６が電気泳動し、所定の画像が表示された。白色蛍光灯下、照度３００ルクスの環境で表示装置を明表示にし、１０分間放置して、帯電粒体の畜光性を有する部位に外光を取りこんだ。その後、照度１ルクス以下の暗所で、表示の視認性を確認したところ、１分経過後のコントラスト比は５．７であり、４５分経過後のコントラスト比は２．１であった（２以上のコントラスト比が４５分間程度継続した）。帯電粒体の畜光部の輝度半減期は、２ｍｃｄ／ｍ２から１ｍｃｄ／ｍ２までの輝度半減時間で約１０時間であった。
【００６３】
（比較例１）
畜光部７をその表面に添加しない帯電粒体６としてＳｒＡｌ２Ｏ４からなる光反射率の高い帯電粒子６ａを用いた以外は、実施例１と同じである表示装置を作成した。
【００６４】
白色蛍光灯下、照度３００ルクスの環境で表示装置を明表示にし、１０分間放置した。その後、照度１ルクス以下の暗所で、表示の視認性を確認したところ、コントラスト比は１．１であり、所定の画像の表示の読み取りは困難であった。照度を１０ルクス以上にした場合にのみ、表示の読み取りが可能であった。
【００６５】
以上の結果から、本実施形態では、フレキシブル性を確保しつつ消費電力の増大を低減し、且つ、暗所における視認性を向上させることができている事が分かる。
【実施例２】
【００６６】
実施例１の表示装置に、図４で説明したように光強度センサとタイマー回路からなる集積回路を接続し、光強度センサの検出する光強度が１００ルクス以上であることを外部刺激として、かかる外部刺激を検出した場合に、所定の時間間隔で帯電粒体を明表示にし、帯電粒体の畜光部に外光を取り込んだ。
【００６７】
光強度が１００ルクスの場合において、所定の時間間隔を１分間、帯電粒体を明表示にする期間を１０秒間とする外光を取り込むステップを１８０回繰り返し行い、帯電粒体の畜光性を有する部位に外光を取りこんだ。その後、照度１ルクス以下の暗所で、所定の画像の表示の視認性を確認したところ、１分経過後のコントラスト比は４．３であり、２０分経過後のコントラスト比は２．１であった（２以上のコントラスト比が２０分間程度継続した）。
【実施例３】
【００６８】
流体５として窒素ガスを用い、帯電粒体６としては、Ｓｒ４Ａｌ１４Ｏ２５の微粉末からなる光反射率の高い帯電粒子６ａを単独で用いた以外は、実施例１と同様にして、表示装置を作成した。
【００６９】
実施例２の手順に準じ、白色蛍光灯下、照度３００ルクスの環境で、本発明の表示装置を明表示にし、１０分間放置して、帯電粒体の畜光部に外光を取りこんだ。その後、照度１ルクス以下の暗所で、所定の画像の表示の視認性を確認したところ、１分経過後のコントラスト比は５．１であり、３０分経過後のコントラスト比は２．１であった（２以上のコントラスト比が３０分間程度継続した）。帯電粒体の畜光性を有する部位の輝度半減期は、２ｍｃｄ／ｍ２から１ｍｃｄ／ｍ２までの輝度半減時間で７時間であった。
【００７０】
以上の結果から、本実施形態では、フレキシブル性を確保しつつ、消費電力の増大を低減し、且つ、暗所における視認性を向上させることができている事が分かる。
【００７１】
本発明の実施の形態は、特許請求の範囲に示された技術的思想の範囲内において、適宜、種々の変更が可能である。
【００７２】
例えば、ＦＥＴとして、シリコンなどの無機半導体材料を使用できるが、さらに、これに代えて、有機材料を用いた有機トランジスタやこれに付属可能な有機キャパシタを用いることができる。また、駆動回路１２に加えて、制御回路１３のトランジスタやキャパシタを有機トランジスタや有機キャパシタを用いて構成することができる。このような有機トランジスタや有機キャパシタなどの有機素子はその素材（有機膜）の特性としてフレキシブル性が高いので、これらの有機素子を上述のように用いることによって、フレキシブル性を高めることが可能である。もちろん、有機素子に限らず、トランジスタとして、静電誘導型トランジスタや、各種の縦型トランジスタ、電子または正孔のみをキャリアとするユニポーラートランジスタなどの使用を否定するものではない。
【図面の簡単な説明】
【００７３】
【図１】本実施の形態の表示装置を示す概略断面図である。
【図２】本実施の形態の表示装置を示す概略構成図である。
【図３】本実施の形態の表示装置を示す概略構成図である。
【図４】従来の表示装置を示す概略構成図である。
【符号の説明】
【００７４】
１  基板
２  第1の電極
３  誘電体
４  カプセル
５  流体
６  帯電粒体
７  畜光部
８  誘電体
９  第２の電極
１０  保護体
１１  枠
１２、１１２  駆動回路
１３、１１３  制御装置
１４  検出素子
１５  タイマ
【図１】
2007271838.tif 000003
【図２】
2007271838.tif 000004
【図３】
2007271838.tif 000005
【図４】
2007271838.tif 000006